(57)【特許請求の範囲】
【請求項１】
円筒形状をした被刺繍物をその保持枠にセットする際にこの保持枠を支持しておくための保持枠支持装置であって、前記保持枠の装着可能な支持リングが、所定箇所に固定されたベースに対して軸線回りの回転操作可能で、かつ所定の回転位置でロック可能に設けられていることを特徴とした保持枠支持装置。
【請求項２】
請求項１記載の保持枠支持装置において、被縫製物の形を整えるとともに保持枠を支持する案内部材が支持リングに対して着脱可能に設けられていることを特徴とした保持枠支持装置。
【発明の詳細な説明】
【０００１】
【発明の属する技術分野】
本発明は、帽子などのように円筒形状をした被縫製物をその保持枠にセットする際に、そのセット作業をしやすい状態に保持枠を支持しておくための保持枠支持装置に関する。
【０００２】
【従来の技術】
従来、この種の装置は、帽子などの被縫製物がセットされる保持枠を装着するための支持リングがプレート状のベース前面に固定されている。このベースは例えばミシンテーブルに対して取付け可能となっている。そして保持枠に被縫製物をセットするには、前記ベースをミシンテーブルなどに取付けた状態で前記支持リングに保持枠を装着している。
なお前記保持枠の種類には、被縫製物が帽子である場合にその前面部分（額に相当する部分）にのみ縫製をするためのものと、帽子の側周面のほぼ全域に縫製をするためのものとがある。後者の保持枠においてはその外周面の上面側に被縫製物である帽子の前面部分をセットした後、帽子の側周面を張るためにその後ろ側を保持枠の下面側にクリップなどで止めている。
【０００３】
【発明が解決しようとする課題】
ところが被縫製物である帽子の後ろ側を保持枠の下面側に止めるとき、その箇所が作業者に対して死角になるため、作業者は腰を曲げるなどして姿勢を低くしなければならず、作業性が悪い。
【０００４】
本発明の第１の目的は、被縫製物における側周面のほぼ全域に縫製をするためにその保持枠の下面側に被縫製物をセットするとき、そのセット箇所を上面側に位置させて作業を容易とすることである。
本発明の第２の目的は、被縫製物における側周面の一部に縫製するための保持枠と、被縫製物における側周面のほぼ全域に縫製をするための保持枠とのそれぞれに対して保持枠支持装置としては一種類だけで対応可能とすることである。
【０００５】
【課題を解決するための手段】
第１の発明は、保持枠支持装置において、円筒形状をした被縫製物をセットするための保持枠の装着可能な支持リングが、所定箇所に固定されたベースに対して軸線回りの回転操作可能で、かつ所定の回転位置でロック可能に設けられていることを特徴とする。
そこで前記保持枠の下面側に被縫製物をセットするときは、前記支持リングを保持枠と共に回転させてセット箇所を上面側に位置させてロックすれば、作業者は自然な作業姿勢で被縫製物のセットを行うことができる。
【０００６】
第２の発明は、第１の発明の保持枠支持装置において、被縫製物の形を整えるとともに保持枠を支持する案内部材が支持リングに対して着脱可能に設けられていることを特徴とする。
したがって前記保持枠が被縫製物における側周面の一部に縫製するためのものか、被縫製物における側周面のほぼ全域に縫製をするためのものかに応じて前記案内部材を支持リングに対して交換できる。このため保持枠の種類に応じた案内部材を揃えておくだけで保持枠支持装置は一種類で済むこととなる。
【０００７】
【発明の実施の形態】
以下、本発明の実施の形態を説明する。
図１は保持枠支持装置を表した構成図、図２は図１の断面図である。また図３は図１の左側面図、図４は図３の断面図である。
ベース１２における背面の上部にはブラケット１４が固定されている。このブラケット１４は、例えばミシンテーブル１０の縁部に対して組付け可能なコ字形状をしており、ボルト１６を締めることによってブラケット１４の上部内面と当て板１８とでミシンテーブル１０の上下面を挟み付けて固定できるようになっている。
【０００８】
図２で明らかなように前記ベース１２のほぼ中心部には支持軸２４が貫通して設けられ、この支持軸２４に対して支持リング２０の中心に形成されたボス部２２が回転自在に支持されている。なお支持軸２４の両端部にそれぞれ固定されているカラー２５により、ベース１２と支持リング２０とが軸方向に関して相対的にがたつかないように位置決めされている。
前記支持リング２０の外周における前端側の部分は他の部分より一段低い装着部２６になっており、ここに後述する保持枠５０を装着することができる。この支持リング２０の内周には、円筒形状の案内部材３８の端部が挿入されている。この案内部材３８は、図２，３で示すように周方向の三箇所においてネジ３９により支持リング２０に対して取外し可能に固定されている。
【０００９】
前記支持リング２０の外周における上部中央には、前記装着部２６に装着される保持枠５０を位置決めするための位置決め部材３６が固定されている。同じく支持リング２０の外周において位置決め部材３６の左右両側にはクランプ３０と板バネ３５とがそれぞれ設けられている。
前記の両クランプ３０は、レバー３１の中間部が支持リング２０に対して軸３２により支持され、このレバー３１の先端部に係合部材３４が固定された構成になっている。そしてレバー３１は前記軸３２を支点として係合部材３４を常に支持リング２０の外周面側へ押付ける回動方向の付勢力を受けている。一方、前記板バネ３５は、保持枠５０を支持リング２０の装着部２６から取外すときにこの保持枠５０を図１，２の左方向へ押し出す方向の力を発揮する。
【００１０】
前記支持リング２０をベース１２に対して所定の回転位置でロックするためのロック機構４０について説明すると、ベース１２の片側（図３，４の右側）には支持部１３が一体に形成されていて、ここにはロック軸４４がその軸線方向へスライド自在に支持されている。また支持リング２０の側壁には図４で示すように周方向の相対向する箇所（１８０°の間隔をもった箇所）において係合孔２７，２８がそれぞれ形成されている。これらの係合孔２７，２８に対しては、前記ロック軸４４の大径の先端部４５が選択的に係合可能である。
【００１１】
図５に図４の一部が拡大断面図で示されている。この図面で明らかなようにベース１２の支持部１３には、中空ボルト形状の軸受け４１がその雄ネジにナット４３を締付けることによって固定されている。この軸受け４１に対して前記ロック軸４４がスライド自在に挿入されており、このロック軸４４の外側端部にはツマミ４６がねじ込みによって固定されている。このツマミ４６には、軸受け４１の外周部に形成された複数個（２〜４個）の切欠部４２の一つに入り込むピン４７が固定されている。
【００１２】
前記ロック軸４４の軸上には、その先端部４５と前記軸受け４１の端面との間においてスプリング４８が設けられている。このスプリング４８により、ロック軸４４はその先端部４５を前記係合孔２７，２８の一つに係合させる方向の付勢力を受けている。例えば図５（Ａ）で示すようにロック軸４４の先端部４５を一方の係合孔２７に係合させたとき、支持リング２０はベース１２に対してその回転位置でロックされたことになる。なおこのロック時においてロック軸４４に作用しているスプリング４８の付勢力は、前記ピン４７の先端がベース１２の支持部１３に当たって受止められている。
【００１３】
前記ロック機構４０によるロックを解除するには、ツマミ４６をスプリング４８の力に抗して引っ張ることにより、図５（Ｂ）で示すようにロック軸４４の先端部４５が係合孔２７から外れるとともに、前記ピン４７が軸受け４１の切欠部４２から抜かれる。ここでロック軸４４をその軸線回りに少し回転させ、ピン４７と切欠部４２との位置をずらせることにより、ロック軸４４に作用しているスプリング４８の付勢力はピン４７の先端が軸受け４１の端面に当たることで受止められる。この状態において支持リング２０をベース１２に対して自由に回転させることができる。
このロック機構４０は、例えば支持リング２０の係合孔２７，２８の箇所に形成された係合凹部と、ベース１２の側に取付けられて係合凹部に対して選択的に係合するバネ部材とによる構成に代えてもよい。
【００１４】
図６は帽子などの被縫製物における側周面のほぼ全域に縫製をするための保持枠５０を表した斜視図である。保持枠５０は例えば帽子（キャップ）の開口部が被せ付けられる円筒形状の受け枠５０Ａと、帽子の開口部外周を受け枠５０Ａに押さえ付けて保持する帯状の押え体５０Ｂとから構成されている。
受け枠５０Ａは前記支持リング２０の装着部２６に取付け可能であり、上部中央の後側端部には支持リング２０の前記位置決め部材３６が入り込む凹部５２が形成されている。また受け枠５０Ａは、支持リング２０における前記両クランプ３０の係合部材３４が係合する孔（図示外）を備えている。しかも受け枠５０Ａにおける外周の上部中央には帽子の前後方向のセット位置を決めるためのブロック５３が固定されているとともに、下部の左右両側にはそれぞれ保持扞５４を備えたロッド５５，５６が固定されている。
【００１５】
前記押え体５０Ｂの一端部は受け枠５０Ａの一方のロッド５５に連結されているとともに、他端部には係止錠６２が結合されている。この係止錠６２は、受け枠５０Ａの他方のロッド５６に取付けられたフック５７に引っ掛けてロックできるようになっている。なお押え体５０Ｂは帽子のひさし部を通すための窓６０を有するとともに、受け枠５０Ａの外周に固定されているピン５８に係合して押え体５０Ｂの前後方向のずれを防止するための係合孔６１を備えている。
【００１６】
つぎに前記保持枠５０に円筒形状の被縫製物である帽子をセットする作業について説明する。
まず前記ロック機構４０におけるロック軸４４の先端部４５を前記支持リング２０の係合孔２７に係合させ、この支持リング２０（案内部材３８も含む）をベース１２に対して図１〜４で示す回転位置でロックする。そして支持リング２０の装着部２６に前記保持枠５０の受け枠５０Ａを取付け、その凹部５２に支持リング２０の位置決め部材３６を入り込ませて保持枠５０の回転方向の位置決めを行う。これと並行して前記の両クランプ３０におけるレバー３１を操作し、前記係合部材３４を受け枠５０Ａの孔（図示外）に係合させる。なお、このときに支持リング２０の前記板バネ３５は受け枠５０Ａによって押し撓められている。
【００１７】
つづいて図７で示すように前記保持枠５０における受け枠５０Ａの外周に帽子７０の開口部を被せ付けるとともに、この開口部の外側に前記押え体５０Ｂを巻き付け、前記係止錠６２をフック５７に引っ掛けてロックする。この帽子７０のひさし部７２は押え体５０Ｂの前記窓６０に通されており、これによって帽子７０はひさし部７２の付け根及びそれに続く開口部の縁が受け枠５０Ａと押え体５０Ｂとに挟み付けられた状態で保持枠５０にセットされる。ただし帽子７０の側周面のほぼ全域に縫製をするためには、さらに帽子７０を前記案内部材３８の外周に沿わせて張るとともに、帽子７０の後ろ側を前記保持扞５４に対して図示外のクリップで止めることが必要である。
【００１８】
帽子７０の後ろ側を止める作業に際しては、前記ロック機構４０を操作して図５（Ｂ）で示すようにロック軸４４の先端部４５を支持リング２０の係合孔２７から外してロックを解除し、支持リング２０（案内部材３８も含む）を保持枠５０と共に１８０°回転させる。ここでロック機構４０を再度操作して今度は支持リング２０の他方の係合孔２８にロック軸４４の先端部４５を係合させる。これによって支持リング２０は前記保持扞５４が上側に位置した状態、つまり帽子７０の後ろ側が上に位置した回転位置でロックされる。したがって作業者は自然な姿勢のままで、前記のようにして帽子７０の後ろ側を保持扞５４に止めることができる。
【００１９】
このように帽子７０が保持枠５０にセットされたら、ロック機構４０を操作してロックを解除し、支持リング２０を図１〜４で示す回転位置に戻す。そして前記の両クランプ３０におけるレバー３１を操作し、前記係合部材３４を受け枠５０Ａの孔（図示外）から外す。このとき、前記板バネ３５の力によって受け枠５０Ａが図１，２の左方向へ少し押し出され、保持枠５０を支持リング２０の装着部２６から容易に取外すことができる。なお帽子７０がセットされた保持枠５０は、この帽子７０の側周面に縫製を行うためにミシンの枠駆動装置（図示外）に装着される。
【００２０】
図８は前記帽子７０における側周の前面にのみ縫製をするための保持枠１５０を表した斜視図である。この保持枠１５０は帽子７０の開口部が被せ付けられる基部１５０Ｃと、帽子７０の頂上部内周を受けるように基部１５０Ｃに固定された受け枠１５０Ａと、帽子の開口部外周を基部１５０Ｃ及び受け枠１５０Ａに押さえ付けて保持する帯状の押え体１５０Ｂとから構成されている。
基部１５０Ｃは前記支持リング２０の装着部２６に取付け可能であり、上部中央の後側端部には支持リング２０の前記位置決め部材３６が入り込む凹部１５２が形成されている。また基部１５０Ｃは、支持リング２０における前記両クランプ３０の係合部材３４が係合する孔（図示外）を備えている。しかも基部１５０Ｃにおける外周の上部中央には帽子の前後方向のセット位置を決めるためのブロック１５３が固定されている。
【００２１】
前記押え体１５０Ｂの一端部は基部１５０Ｃに固定されたロッド１５５に連結されているとともに、他端部には係止錠１６２が結合されている。この係止錠１６２は、基部１５０Ｃに固定されたアーム部１５６のフック１５７に引っ掛けてロックできるようになっている。なお押え体１５０Ｂには帽子７０の前面に対する縫製範囲を確保するための窓１６０が形成されている。
【００２２】
保持枠１５０に対する帽子７０のセットにあたっては、まず前記支持リング２０に案内部材３８を固定しているネジ３９を外し、この案内部材３８を図９，１０で示す半円筒形状の案内部材１３８と交換する。この後は保持枠５０の場合と同様に前記ロック機構４０を操作して支持リング２０（案内部材１３８も含む）を図１〜４で示す回転位置でロックする。そして支持リング２０の装着部２６に保持枠１５０の基部１５０Ｃを取付け、その凹部１５２に支持リング２０の位置決め部材３６を入り込ませて保持枠１５０の回転方向の位置決めを行う。これと並行して前記の両クランプ３０におけるレバー３１を操作し、前記係合部材３４を基部１５０Ｃの孔（図示外）に係合させる。
【００２３】
つぎに図１１で示すように保持枠１５０の基部１５０Ｃに帽子７０の開口部を被せ付け、この帽子７０の前面を張った状態で前記押え体１５０Ｂを帽子７０の外側から巻き付け、前記係止錠１６２をフック１５７に引っ掛けてロックする。これによって帽子７０は、ひさし部７２の付け根が基部１５０Ｃと押え体１５０Ｂとで挟みつけられ、かつ頂上部が受け枠１５０Ａと押え体１５０Ｂとに挟み付けられた状態で保持枠１５０にセットされる。なお前記案内部材１３８は半円筒形状であるから、帽子７０の後ろ側を案内部材１３８の中心方向へ引っ張って帽子７０を容易に張ることができる。このようにして保持枠１５０に帽子７０をセットしたら、保持枠５０の場合と同様に前記の両クランプ３０における係合部材３４を基部１５０Ｃの孔（図示外）から外して保持枠１５０を支持リング２０の装着部２６から取外す。
【００２４】
図１２（Ａ）（Ｂ）に前記の二種類の案内部材３８，１３８がそれぞれ斜視図で示されている。この図面からも明らかなように個々の案内部材３８，１３８には、これらを支持リング２０に固定するための前記ネジ３９用の孔３８ａ，１３８ａが周方向の三箇所において前後方向に三個ずつ形成されている。この三個の孔３８ａ，１３８ａの一つを選択することにより、支持リング２０に対する案内部材３８，１３８の取付け位置が変更される。これによって案内部材３８，１３８の突出量を帽子７０の高さ（深さ）に合わせて調整することができる。
【００２５】
以上、本発明の実施の形態を説明したが、この実施の形態には特許請求の範囲に記載した技術的事項の他につぎのような各種の技術的事項が含まれていることを付記しておく。
１．請求項１記載の保持枠支持装置において、支持リングはそれを１８０°回転させた二つの位置でそれぞれロック可能となっていることを特徴とした保持枠支持装置。
２．請求項２記載の保持枠支持装置において、案内部材は被縫製物における側周面の一部に縫製をするための半円筒形状のものと、被縫製物における側周面のほぼ全域に縫製をするための円筒形状のものとが揃えられていることを特徴とした保持枠支持装置。
３．請求項２記載の保持枠支持装置において、案内部材が支持リングに対して突出量の調整可能に取付けられていることを特徴とした保持枠支持装置。
これにより、案内部材の突出量を被縫製物に合わせて調整できる。
【００２６】
【発明の効果】
円筒形状をした帽子などの被縫製物における側周面のほぼ全域に縫製をするためにその保持枠の下面側に被縫製物をセットするときは、その箇所を上面側に位置させて容易に作業を行うことができる。
【図面の簡単な説明】
【図１】保持枠支持装置を表した構成図。
【図２】図１の断面図。
【図３】図１の左側面図。
【図４】図３の断面図。
【図５】図４の一部を拡大して表した断面図。
【図６】被縫製物の側周面のほぼ全域に縫製をするための保持枠を表した斜視図。
【図７】保持枠支持装置に保持枠を装着した状態の構成図。
【図８】被縫製物の前面にのみ縫製をするための保持枠を表した斜視図。
【図９】被縫製物の側周面の一部にのみ縫製をするときの案内部材を用いた保持枠支持装置の構成図。
【図１０】図９の断面図。
【図１１】保持枠支持装置に被縫製物の側周面の一部にのみ縫製をするための保持枠を装着した状態の構成図。
【図１２】二種類の案内部材をそれぞれ表した斜視図。
【符号の説明】
１２  ベース
２０  支持リング
３８，１３８  案内部材
５０，１５０  保持枠
７０  円筒形状の被縫製物（帽子）
【図１】
0003583200.tif 000002
【図２】
0003583200.tif 000003
【図３】
0003583200.tif 000004
【図４】
0003583200.tif 000005
【図５】
0003583200.tif 000006
【図６】
0003583200.tif 000007
【図７】
0003583200.tif 000008
【図８】
0003583200.tif 000009
【図９】
0003583200.tif 000010
【図１０】
0003583200.tif 000011
【図１１】
0003583200.tif 000012
【図１２】
0003583200.tif 000013